(57)【要約】【課題】引き出し、巻取り、長さの調節が可能であり、簡易に電池の充電が可能な携帯機器のストラップ構造及びストラップ付携帯機器を提供する。【解決手段】筐体内の基板２にストラップ４を巻回した軸８の軸受け１５がホルダ９により保持されるとともに、軸８の回動により駆動されるダイナモ１０を備える。また、ストラップ４と軸８の間にうずまき状バネ１４を備え、ストラップ４の引き出しに対する復元力を与える。ストラップ４の引き出し時には、バネ１４の復元力によるストラップ４の巻取り力と、ストッパー１２とストラップ４の引き出し開口部６との摩擦とにより、ストラップの引き出し長さを調節可能である。巻き戻しは、うずまきバネ１４が充分引き出される所定量の引き出し状態から手を離すことにより、大きな復元力により可能である。【選択図】図１０
2006255024.tif 000002
【特許請求の範囲】
【請求項１】
バネの復元力により筐体内にストラップを巻取り可能な携帯機器のストラップ構造において、
ストラップの表面に長手方向に複数のストッパーを備え、前記バネの復元力によるストラップの巻取り力と、前記ストッパーとストラップの引き出し開口部との摩擦とにより、ストラップの引き出し長さを調節可能に前記ストッパーにより停止させることを特徴とするストラップ構造。
【請求項２】
前記ストラップを所定量以上に引き出した際に、前記巻取り力が前記摩擦力を超えることを特徴とする請求項１記載のストラップ構造。
【請求項３】
前記ストラップの先端部に止め具を備えるとともに、前記開口部から離れた筐体外部に前記止め具が連結可能な連結部を有することを特徴とする請求項１又は２記載のストラップ構造。
【請求項４】
前記止め具は、前記ストラップの巻取り時に前記開口部の外部周辺に係止する形状を有することを特徴とする請求項３記載のストラップ構造。
【請求項５】
前記筐体内の基板に保持された回動可能なストラップの巻取り軸と、前記巻取り軸をストラップの巻取り方向に付勢する渦巻きバネとを有することを特徴とする請求項１、２、３又は４記載のストラップ構造。
【請求項６】
前記渦巻きバネは前記巻取り軸と基板側との間に設けられたことを特徴とする請求項５記載のストラップ構造。
【請求項７】
前記渦巻きバネは前記ストラップの後端部と前記巻取り軸との間に巻回されたことを特徴とする請求項５記載のストラップ構造。
【請求項８】
駆動軸が前記巻取り軸と結合したダイナモと、前記ダイナモの出力により充電される電池とを有することを特徴とする請求項５、６又は７記載のストラップ構造。
【請求項９】
前記止め具は、クリップを備えることを特徴とする請求項３ないし８の何れかの請求項記載のストラップ構造。
【請求項１０】
前記開口部は筐体の一方の端部に設けられ、前記止め穴は前記筐体の他方の端部に設けられたことを特徴とする請求項１ないし９の何れかの請求項記載のストラップ構造。
【請求項１１】
前記請求項１ないし１０の何れかの請求項記載のストラップ構造を備えるストラップ付携帯機器。
【発明の詳細な説明】
【技術分野】
【０００１】
本発明は、携帯機器のストラップに関し、特にストラップが筐体内に巻取り可能な携帯機器のストラップ構造及び携帯機器に関する。
【背景技術】
【０００２】
携帯機器にはハンドストラップを装着することが一般的に行われているが、ハンドストラップが装着された携帯機器をポケットやバッグ等に入れると、他の内容物と絡み合ってしまい、取り出しにくくなるという不便さがある。  
これに対し、キー入力操作、通話等、携帯機器の実際の使用時には誤って落下するのを防ぐためにストラップの装着が不可欠な場合がある。
【０００３】
この相反する要求を同時に満たすためにハンドストラップを収納可能としたものも知られている（特許文献１、特許文献２参照）。
【０００４】
図１２は、特許文献１記載のハンドストラップが収容可能なハンドストラップ付携帯端末装置の構造を示す図である。  
この携帯端末装置は、筐体２０の一端側の内部に、先端部にフック２２を有し、帯状で負荷が均一のぜんまいバネ状の伸縮自在のハンドストラップ２１を備えるとともに、前記筐体２０の他端部の外部に前記フックを係合可能な突起部２３を備える。  
図１２はハンドストラップの使用状態を示しており、ハンドストラップ２１を先端部から筐体外部に引き出し、フック２２を前記突起部２３に係合して使用する。また、非使用時には突起部２３からフック２２を外してストラップ２１を筐体内部へ収容する。
【特許文献１】特開平１０−３３６０９７号公報
【特許文献２】特開２０００−７８０４８号公報
【発明の開示】
【発明が解決しようとする課題】
【０００５】
従来のハンドストラップ付携帯端末装置の構造は、ハンドストラップの引き出し及び完全収容が可能に構成されているが、単に伸縮自在のストラップを使用するものであるから、引き出したハンドストラップの長さの固定（長さの調節）が不可能で、かつ巻取り力が強ければ手の甲等に圧迫感を感じ、弱ければ脱落するという問題もある。また、特許文献２に示されているように引き出し量の調節が可能なものもあるが、ハンドストラップを完全に収容できず、また、ハンドストラップの固定機構が極めて複雑で筐体内スペースを大きく占有するとともに、コストアップに繋がるという難点がある。
【０００６】
また、ハンドストラップの引き出し及び巻取り機構は機械的な構造を有し筐体内にかなりのスペースを占有、コストが高くなるにも拘わらず、この機構がハンドストラップ機能にのみ設けられているという点でも問題がある。
【０００７】
（目的）
本構造の目的は、簡易な機構により容易に引き出し及び巻取りが可能であるとともに、長さの調節も可能な携帯機器のストラップ構造及びストラップ付携帯機器を提供することにある。
【０００８】
本発明の目的は、携帯機器内の電池を簡易的に充電することが可能なストラップ構造及びストラップ付携帯機器を提供することにある。
【課題を解決するための手段】
【０００９】
本発明のストラップ構造は、バネの復元力により筐体内にストラップを巻取り可能な携帯機器のストラップ構造において、ストラップの表面に長手方向に複数のストッパーを備え、前記バネの復元力によるストラップの巻取り力と、前記ストッパーとストラップの引き出し開口部との摩擦とにより、ストラップの引き出し長さを調節可能に前記ストッパーにより停止させることを特徴とする。また、前記ストラップを所定量以上に引き出した際に、前記巻取り力が前記摩擦力を超えることを特徴とする。
【００１０】
また、前記ストラップの先端部に止め金具を備えるとともに、前記開口部から離れた筐体外部に前記止め具が連結可能な連結部を有し、前記止め具は、前記ストラップの巻取り時に前記開口部の外部周辺に係止する形状を有することを特徴とする。
【００１１】
また、回動可能なストラップの巻取り軸と、前記巻取り軸をストラップの巻取り方向に付勢する渦巻きバネと、ダイナモ駆動軸が前記巻取り軸と結合したダイナモと、前記ダイナモの出力により充電する電池と、を有し、また、前記止め具は、クリップを備えることを特徴とする。
【００１２】
前記渦巻きバネは前記巻取り軸と基板側との間に設けられ、又は前記ストラップの後端部と前記巻取り軸との間に巻回されたことを特徴とし、前記渦巻きバネ、巻取り軸及びダイナモは筐体内の回路基板に設けられ、前記開口部は筐体の一方の端部に設けられ、前記止め穴は前記筐体の他方の端部に設けられたことを特徴とする。
【００１３】
（作用）
携帯機器の開口部の開口寸法とストラップの表面に配置されているストッパーの寸法、さらにバネの復元力を調整することにより、ストラップのストッパーと携帯機器の開口部とが干渉し、ストラップの突出量を選択することが出来る。
【００１４】
携帯機器を手で持って使用する際、ストラップの先端にある止め具（バックル）を止め穴に連結させ、携帯機器とストラップの間に手を配置すると、バネの復元力によりストラップが手にフィットして静止する。また、手の大きさや握力に関わらず、ストラップを手に固定させることができ、１つの携帯機器を手の大きさの異なる人同士で共有する場合、また握力が弱い人が使用する際の携帯機器の落下防止に有効である（図９）。
【００１５】
ストラップの引き出し及びバネの復元力による巻取りを繰り返すことにより、ダイナモにより発電させることができ、電池を充電させることができる。
【発明の効果】
【００１６】
本発明によれば、バネの復元力によるストラップの巻取り力と、ストラップのストッパーとその引き出し開口部との間の摩擦力とにより、ストラップの引き出し長さを調節可能に停止させることにより、簡単な構成によりストラップの引き出し長さ（引き出し量）を選択可能である。
【００１７】
また、ストラップを所定量以上に引き出した際に、巻取り力がストッパーによる摩擦力を超えるように構成することにより、ストラップを一旦所定量以上に引き出した後に手を離すことにより完全な巻取りが実現できる。
【００１８】
ストラップの先端部に止め具を備え、前記開口部から離れた筐体外部に前記止め具を連結可能な連結部を有する構成により、ストラップを引き出して止め具を連結部に締結し、携帯機器とストラップの間に手を配置すると、ストッパー間の範囲でバネの復元力によりストラップが手にフィットする。  
また、手の大きさや握力に関わらずストラップを手に固定させることができ、手の大きさの異なる人同士で単一の携帯機器を共有することができ、また、握力が弱い人が使用する際に携帯機器の落下防止に有効である。
【００１９】
また、止め具に服装等に固定可能なクリップを設けることにより、携帯機器をバック、ポケット等への収納時における脱落、紛失の防止に有効である。
【００２０】
また、渦巻きバネを有し回動可能なストラップの巻取り軸をダイナモの駆動軸に連結した構成とすることにより、ダイナモの出力により電池を充電できるから、ストラップの引き出し及び巻取りの繰り返しにより電池を充電でき使用時間を延長させることができる。  
更に、電池内の蓄電気がなくなってしまった際にも本構造を用いることにより、簡易的に充電することも可能であり電池の充電切れの際にも一時的に使用可能状態にすることができる。
【００２１】
特に、ダイナモによる発電機能は、携帯機器の落下防止等のために筐体スペースを割いて設けたストラップ機構を当該機能以外にも有効利用するものであり、携帯機器のカメラ機能や音楽再生機能、液晶表示の高輝度・高精細化等の高機能化と、装置サイズのコンパクト化による電池サイズの狭小化による使用時間の短縮への改善に有効である。  
【発明を実施するための最良の形態】
【００２２】
（構成の説明）
本発明の携帯機器のストラップ構造の一実施の形態を説明する。本実施の形態として携帯電話機等の携帯機器への適用例を以下説明する。
【００２３】
図１は本実施の形態の携帯機器の斜視図であり、図２はその内部に配置される基板とストラップ構造の収納配置図である。
【００２４】
携帯機器１は図１に示すように、筐体がキー入力部Ａ及び液晶表示部Ｂが配置される側のフロントケース１ａと、前記フロントケース１ａに係合するリヤケース１ｂにより構成され、筐体上面のフロントケース１ａとリヤケース１ｂとの係合個所には止め穴１３が形成され、筐体内部には回路基板（基板）２等が収容される。
【００２５】
基板２には、図２に示すようにキー入力部Ａ側（下部）に対応する位置に矩形状の切り欠き部を有し、前記切り欠き部に前記ストラップ４が巻取り軸（軸）８に渦巻き状に巻回されて収容され、軸８はバネ機構（バネ）７を介して回動可能に基板２上のホルダ９により基板２のリヤケース１ａ側に保持されている。ここでバネ７は図示しないが軸８に対する軸受け機能を有するとともに、内部にらせん状の板バネ等を備え、軸８の巻取り方向に復元力を生じるように軸８と基板側（ホルダ）の間に設けられている。また、ストラップ４の先端部はリヤケース１ｂに設けた開口部６からその一部が突出している。
【００２６】
図３は本実施の形態の携帯機器のストラップを含む側部方向の断面図（ａ）及び背面図（ｂ）である。本例では巻回されたストラップ４の先端部には断面Ｌ字状の止め具５が設けられ、リヤケース側に開口した開口部６から該止め具５の一部が突出し、バネによる復元力によるストラップ４の巻取りによりリヤケースの裏面に平行な金具部分（鉤部）が係止している。
【００２７】
図４はストラップを引き出して使用する状態を示す図である。本実施の形態では、ストラップ４には引き出し時の長さの調整を可能にする突起状のストッパー４ａが等間隔等に設けられている。止め具５の先端をつまんでバネの復元力に抗してストラップ４を引き出し、筐体のリヤケース１ｂ側を回し、筐体上部の止め穴１３に止め具５の鉤部を係合する。ここで、開口部６はストラップの移動に対し摩擦力を生じるように開口の径を設定することによりストラップ４がバネの復元力により戻ろうとするとき、ストラップの戻りを停止させる。
【００２８】
（動作の説明）
図５は、本実施の形態の動作を示す図である。  
図５（ａ）はストラップ未使用時の状態(初期状態)を示す図である。ストラップ４にはバネ７によって巻き取られる方向に力がはたらくが、ストラップ７が収納された初期状態では、携帯機器１のストラップの先端部に設けた止め具５の鉤部が携帯機器１の開口部６の外壁部分に係止されている。
【００２９】
次に、図５（ｂ）に示すように、止め具５を引き出すとストラップ４も併せて外部に引き出されるが、ストラップ４の引き出しを止めて手をはなすと、バネ７の復元力により携帯機器１の内部にストラップ４が引き戻されようとするが、開口部６にストッパー４ａが干渉し、バネ７による復元力に対し抵抗力が発生してストラップ４の引き込みは停止する。
【００３０】
図５（ｃ）はストラップ４を引き出し、筐体のリヤ側を経由する程度の長さで止め具５を筐体の止め穴１ｃに係合した状態であり、引き出されたストラップ４はストッパー４ａにより引き込みは起こらず静止状態となる。
【００３１】
図５（ｄ）は、ストラップ４の引き出しを更に増大させた状態を示しており、ストラップ４の外部突出量がある一定量を超えており、バネ７による復元力がストッパー４ａの抵抗力を上回り、ストラップ４の引き込みが起こり、止め穴１３から止め具５を外すと、バネ７の復元力によりストラップ４が携帯機器１の内部へ戻っていく。
【００３２】
特にストラップ４の収納時には一定量を越える引き出し後に一気にストラップ４を離すことによりバネ７の復元力により図５（ａ）に示す初期状態までストラップ４を引き込ませることが可能である。
【実施例１】
【００３３】
以下、本発明の携帯機器のストラップ構造の一実施例として個々のより具体的構成を説明する。  
図６は基板上のストラップ取り付け構造を示す図である。基板２の下部に矩形状の切り欠き部を設け、当該きり欠き部に、軸８にバネ７により巻き込まれたストラップ４を配置する。ストラップ４の軸８は回動可能にホルダ９により基板２に固定される。
【００３４】
本実施例では、更に前記ホルダ９にはストラップ４と反対側にダイナモ１０が配置され、ダイナモ１０の図示しない回動軸が前記回動可能なストラップ４の軸８と機械的に連結されたバネ７の軸と連結されている。このため軸８の回動によりダイナモ１０の軸が回動し発電可能である。ダイナモ１０の発電電力はその出力端子が接続された基板２上の基板接続部１１を介して、基板２に設けられた電池３を充電するように配線されている。
【００３５】
図７は本実施例のストラップの構成例を示す図である。図７に示すように、ストラップ４には、その先端に止め具５が配置され、更に帯状の一方の面に長手方向にストラップ４の面から盛り上がった複数の突起上のストッパー１２が等間隔に形成されている。
【００３６】
図８は本実施例の開口部とストッパーが形成されたストラップの関係を示す図である。ストラップ４のストッパー１２は可撓性を有し、その高さは開口部６の開口の上下の径より僅かに高く形成される。
【００３７】
ストラップ４の引き出し時には好適な摩擦力を生じるとともに、バネ７による筐体内への巻取り時には、ストラップ４の十分な引き出し状態の場合を除いてストラップ４の巻取りストッパー１２により停止する。
【００３８】
このように、携帯機器の開口部６の開口寸法とストラップ４の表面に配置されているストッパー１２の寸法、さらにバネ７の復元力の関係を調整することにより、ストラップのストッパーと携帯機器の開口部とが干渉し、ストラップの引き出し量を調整することが可能となる。
【００３９】
図９は本実施例のストラップ構造を備える携帯機器の使用例を示す図である。本実施例において、ストラップが収容された初期状態からストラップを引き出すと、ストラップ４にはバネ７によって巻き取られる方向に力がはたらきストラップの巻取りが起こるが、所定量までの引き出しには、バネ７の復元力に対しストッパー１２の抵抗力により巻取りを止めることができる。
【００４０】
以上の機能により携帯機器を把持する手の甲又は指にストラップを引き出し止め具を止め穴に係合することにより、図９に示すように、手、指の大きさに応じた長さでストラップを引き出して巻取りを停止した状態で落下防止に利用することが可能である。
【００４１】
ストラップの収納時には、ストラップの引き出しをある一定量を越えるように増大させてストラップの復元力がストッパー１２の抵抗力を上回らせた後、止め具を外してストラップ４を筐体内に引き込ませる。
【００４２】
本実施例においては、更に以上の動作の過程で、ストラップの軸８の回動による回転動力がダイナモ１０に伝わり、ダイナモ１０には起電力が生じ、それにより発電した電気が基板接続部１１及び基板２の配線を介して電池３へと流れ、電池３の充電がなされる。
【００４３】
この結果、携帯機器ユーザのストラップ４の引き出し又は巻取り操作の繰り返しにより無意識のうちに電池の簡易的な充電が行われ、携帯機器の使用可能時間の延長に寄与し、ストラップ機構の配置スペースによる電池の配置スペースの狭小化を補うことができる。
【実施例２】
【００４４】
以上の実施例では、ストラップ４の巻き取り構造にストラップの巻き取り軸にらせん状の板バネ等を収容したバネ機構７を独立して設けた構造を説明したが、この巻き取り構造として軸８とストラップ４との間にらせん状のバネ１４を設ける構造とすることが可能である。
【００４５】
図１０は、実施例２の構成を示す図である。図１０（ａ）、（ｂ）に示すように軸８と固定する側のストラップ４の端部（後端）にうずまき状バネ１４を備え、軸８は軸受け１５と結合し、該軸受け１５をホルダ９により基板２に固定した構造が採用される。
【００４６】
本実施例２の場合は、ストラップ４の引き出し及び巻取りの動作は実施例１と同様であるが、巻き取り動作はストラップ４の引き出し時にうずまきバネ１４が充分引き出される所定量の引き出し状態から手を離すことにより、前記バネの充分な復元力により巻き戻しを可能に設定される。本実施例２でもストラップ４のストッパー１２による引出しの長さの調整が可能である。
【実施例３】
【００４７】
図１１は本発明の他の実施の形態を示す図である。ストラップ４の先端部を先端部材１６と、該先端部材１６に設けたクリップ１７とした構造とし、一方、携帯機器の筐体上部の穴に前記クリップ１７を挟み付けることによりストラップを固定するためのピン１８を配置する構造とする。
【００４８】
この構成により、前記実施の形態と同様のストラップの引き出し、巻取り及び所望の長さのストラップの引き出しにより携帯機器の保持を可能とする前述のような機能を実現可能とし、更に携帯機器を服装のポケット等に入れた場合に、ポケット等の縁等にクリップ１７を挟むことにより落下を防止し、落下による携帯機器の破損を防止することが可能である。
【００４９】
以上の実施の形態においては、ストラップにおけるストッパーの形状、構造として、帯状のストラップの表面の同一平面に摩擦力の大きな材料により所定間隔で形成するように構成し、開口部６の寸法を該ストラップの厚み程度として引出し長さの調整を可能に構成することができる。
【図面の簡単な説明】
【００５０】
【図１】本実施の形態の携帯機器の斜視図である。
【図２】携帯機器の内部に配置される基板とストラップの収納配置図である。
【図３】本実施の形態の携帯機器の断面図及び背面図である。
【図４】ストラップを引き出して使用する状態を示す図である。
【図５】本実施の形態の動作を示す図である。
【図６】本発明の実施例１のストラップの取り付け構成を示す図である。
【図７】本実施例のストラップの構成例を示す図である。
【図８】本実施例の開口部とストッパーが形成されたストラップの関係を示す図である。
【図９】本実施例のストラップ構造を備える携帯機器の使用例を示す図である。
【図１０】本発明の他の実施例２を示す図である。
【図１１】本発明の他の実施例３を示す図である。
【図１２】従来のハンドストラップが収容可能なハンドストラップ付携帯端末装置の構造を示す図である。
【符号の説明】
【００５１】
１  携帯機器
１ａ  フロントケース
１ｂ  リヤケース
１ｃ  止め穴
２  基板（回路基板）
３  電池
４  ストラップ
５  止め具
６  開口
７  バネ
８  軸
９  ホルダ
１０  ダイナモ
１１  基板接続部（電極パターン）
１２  ストッパー
１３  手
１４  渦巻きバネ
１５  軸受け
１６  端部部材
１７  クリップ
１８  ピン
２０  筐体
２１  ハンドストラップ
２２  フック
２３  突起部
【図１】
2006255024.tif 000003
【図２】
2006255024.tif 000004
【図３】
2006255024.tif 000005
【図４】
2006255024.tif 000006
【図５】
2006255024.tif 000007
【図６】
2006255024.tif 000008
【図７】
2006255024.tif 000009
【図８】
2006255024.tif 000010
【図９】
2006255024.tif 000011
【図１０】
2006255024.tif 000012
【図１１】
2006255024.tif 000013
【図１２】
2006255024.tif 000014